(57)【特許請求の範囲】
【請求項１】
折板屋根葺板を支持するタイトフレームと、隣接する折板屋根葺板の互いに重なり合う側縁部に挟装されるべく、立設部、この立設部の上端から延設される馳締め部、及びタイトフレームへの取り付け固定のために立設部の下端から水平に延設される取付底部を有する吊子とからなる折板屋根葺板の取付具において、
上記吊子は、上記立設部、取付底部及び馳締め部が一枚の平板を折曲して形成される一方、
上記立設部の下部及び取付底部には連続する切欠開口部が形成されると共に、この切欠開口部に挿入される突出部を有する座金が上記取付底部に載置可能に設けられ、かつ、上記突出部には、立設部上に中心軸を有するボルトを通す座金ボルト孔が穿設されており、
上記タイトフレームにおける頂部は、吊子を回転自在に載置すべく平坦に形成されていることを特徴とする折板屋根葺板の取付具。
【請求項２】
上記吊子における取付底部の縁には、上記座金の縁を押さえるための爪部が形成されていることを特徴とする請求項１記載の折板屋根葺板の取付具。
【請求項３】
上記吊子における立設部の下部及び取付底部に連続して形成される切欠開口部は、上記座金を傾斜させることによってのみボルトを座金ボルト孔に挿入可能に穿設されていることを特徴とする請求項２記載の折板屋根葺板の取付具。
【請求項４】
上記タイトフレームには、裏面側に上記ボルトに螺合されるナットが予め接合されていることを特徴とする請求項１、２、又は３記載の折板屋根葺板の取付具。
【請求項５】
上記ボルトには、滑り止め剤が設けられていることを特徴とする請求項１記載の折板屋根葺板の取付具。
【請求項６】
上記吊子には、他の一枚の平板を折曲して形成される補強用立設部、補強用馳締め部及び補強用取付底部を備え、かつ補強用立設部の下部及び補強用取付底部には上記ボルトを通すための連続する切欠開口部が形成された補強用吊子が上記立設部と補強用立設部とを背面接合状態にして設けられることを特徴とする請求項１〜５のいずれか１項に記載の折板屋根葺板の取付具。
【発明の詳細な説明】
【０００１】
【発明の属する技術分野】
本発明は、折板屋根葺板を支持するタイトフレームと、隣接する折板屋根葺板の互いに重なり合う側縁部に挟装されるべく、立設部、この立設部の上端から延設される馳締め部、及びタイトフレームへの取り付け固定のために立設部の下端から水平に延設される取付底部を有する吊子とからなる折板屋根葺板の取付具に関するものである。
【０００２】
【従来の技術】
一般に、工場や倉庫等の広面積の鉄骨建築物の屋根として多用されている折板屋根は、例えば図２５に示すように、母屋の梁７１の上面に沿って溶接により固定されたタイトフレーム７２上に、断面略Ｖ字状の折板屋根葺板（以下、折板と称する）７３…を順次被着することによって構成される。詳細には、隣接する折板７３・７３は、タイトフレーム７２における上端側の水平板部に取り付けられた吊子７４にて互いに重なり合う側縁部が馳締めされることにより相互に連結される。
【０００３】
図２６に示すように、上記の吊子７４は、上記折板の７３・７３における被馳締め部に間装される馳締め部である巻き込み部７４ａと、この巻き込み部７４ａから下方に延びる垂直面部７４ｂと、この垂直面部７４ｂの下端からＬ字状に曲げ成形された取り付け部７４ｃとを有する形状に形成されている。上記の巻き込み部７４ａの先端部分は、図２７に示すように、断面略三角形となるように鋭角的（約45°）に折り曲げられている。
【０００４】
一方、図２６に示すように、タイトフレーム７２の水平板部は、上段水平部７２ａと下段水平部７２ｂとの二段の段差状に形成されている。この段差形状に沿って、上記の吊子７４のＬ字状部を位置させると共に、下段水平部７２ｂと、この上に沿って位置する吊子７４の取り付け部７４ｃとを、上下に貫通する根角ボルト等の締結ボルト７５、座金７６、ナット７７により緊結することによって、吊子７４のタイトフレーム７２への固定が行われている。
【０００５】
そして、標準的な折板屋根の施工は、次のような手順により行われる。
【０００６】
先ず、タイトフレーム７２を母屋の梁７１の上面に溶接する。即ち、タイトフレーム７２を梁７１上に載置した後、タイトフレーム７２と梁７１とを順次、溶接する。タイトフレーム７２の固定を終了すると、折板７３をタイトフレーム７２上に載置する。尚、タイトフレーム７２や折板７３を運搬する際には、補助作業道具として万能キャリー等と称される運搬装置（図示せず）が使用される。
【０００７】
次いで、図２７に示すように、折板７３とタイトフレーム７２とが交差する箇所での折板７３の第一側縁部７３ａに吊子７４の巻き込み部７４ａを被せた後、この吊子７４を締結ボルト７５、座金７６及びナット７７によりタイトフレーム７２に組み付ける。
【０００８】
続いて、この吊子７４が取り付けられた折板７３（同図中、左側の折板）の隣に、次の折板７３を載置し、吊子７４の巻き込み部７４ａに次の折板７３の第二側縁部７３ｂを被せる。そして、両折板７３・７３の第一側縁部７３ａと第二側縁部７３ｂとの重なり合う部分を折板７３の長手方向に馳締め機を使用して馳締めしていくという作業を繰り返すことによって、折板屋根が構築される。
【０００９】
しかしながら、上記従来の取付具においては、吊子７４のタイトフレーム７２への取り付けが、吊子７４の取り付け部７４ｃとタイトフレーム７２の下段水平部７２ｂとを貫通する締結ボルト７５によって行われ、この締結ボルト７５の螺着作業を、高所にて行うため、例えば吊子７４や締結ボルト７５等を落下させて紛失する虞れがあり、取り扱い等が不便なものとなっている。
【００１０】
そこで、上記従来の吊子７４をタイトフレーム７２に前もって固定しておくことも考えられるが、この場合には、前記の図２６からも明らかなように、固定された吊子７４の巻き込み部７４ａが、タイトフレーム７２の長手方向と直交する方向に突出する。このため、上述の運搬装置を使用することができなくなり、作業効率が著しく低下するという別の問題点を招来する。また、突出した巻き込み部７４ａに作業者が足や衣服を引っ掛ける虞れも有している。
【００１１】
このような問題点を解消するために、実公昭６２−４２００４号公報には、梁に固着したタイトフレームに対して、締結ボルトのような分離した部材を用いることなく、吊子を取り付けることができる構成が開示されている。
【００１２】
即ち、図２８に示すように、山型のタイトフレーム８０の頂部には、上方へややふくらむようにアールを付けた吊子取付け面８１が設けられ、吊子取付け面８１から上方へ軸８２が突設されている。軸８２の上端には、直方体の係止片８３が固設されることにより、軸８２と係止片８３とでＴ字形状をなす係止部が構成されている。
【００１３】
一方、吊子９０側には、上記吊子取付け面８１に載置される座９１が設けられている。この座９１には、吊子取付け面８１と同様のアールが付けられていると共に、上記係止部が嵌入できる長孔９２が穿設されている。
【００１４】
吊子９０をタイトフレーム８０に取り付ける際には、梁に固着されたタイトフレーム８０の係止部が、吊子９０の上記長孔９２に嵌入するように、吊子９０の座９１を吊子取付け面８１に着座させる。この後、吊子９０の長手方向とタイトフレーム８０の長手方向とが直交するように、係止部の軸８２を中心として吊子９０を９０度回転させる。これにより、係止片８３と長孔９２とが直交するので、係止片８３は長孔９２から抜けなくなると同時に、図２９に示すように、吊子取付け面８１と吊子９０の座９１の底面とが密着した状態を保持できるようになっている。
【００１５】
【発明が解決しようとする課題】
しかしながら、上記従来の折板屋根葺板の取付具では、タイトフレーム８０に対して吊子９０を回転させることができるようになっているとはいうものの、吊子９０を取り付ける向き、つまり折板屋根の葺き方向に自由度が少なく、全く逆方向に折版屋根を葺く場合にも対応できるように、吊子９０を取り付ける向きを変えることはできない。
【００１６】
このことは、図２９に示すように、吊子９０の向きを１８０度回転させた場合、吊子９０の上端部に形成された馳締め部９３の位置が、タイトフレーム８０に対して全く変わってしまうことから明らかである。従って、全く逆方向に折版屋根を葺く場合には、タイトフレーム８０の取り付け方向そのものを逆にすることが必要である。この結果、折板屋根の葺き方向に対するタイトフレーム８０の取り付け方向を誤ると、タイトフレーム８０の付け直し作業が必要となるため、作業能率が著しく低下するという問題が生ずる。
【００１７】
また、タイトフレーム８０の上記係止部が、吊子９０の長孔９２に嵌入しただけの状態、即ちタイトフレーム８０の長手方向と吊子９０の長手方向とが一致している状態では、吊子９０がタイトフレーム８０から外れてしまうため、この状態で持ち運びすることは、危険を伴う。一方、タイトフレーム８０と吊子９０とを締結した状態、即ちタイトフレーム８０の長手方向と吊子９０の長手方向とが直交している状態では、複数セットをコンパクトに梱包することが難しいという問題点を有している。
【００１８】
本発明は、上記従来の問題点に鑑みなされたものであって、その目的は、折板屋根の組み立て作業性を向上し得ると共に、吊子をタイトフレームに連結した状態での保管・運搬が容易であり、さらに、より強固な取り付け状態を長期にわたって安定的に維持し得る折板屋根葺板の取付具を提供することにある。
【００１９】
【課題を解決するための手段】
請求項１に係る発明の折板屋根葺板の取付具は、上記課題を解決するために、折板屋根葺板を支持するタイトフレームと、隣接する折板屋根葺板の互いに重なり合う側縁部に挟装されるべく、立設部、この立設部の上端から延設される馳締め部、及びタイトフレームへの取り付け固定のために立設部の下端から水平に延設される取付底部を有する吊子とからなる折板屋根葺板の取付具において、上記吊子は、上記立設部、取付底部及び馳締め部が一枚の平板を折曲して形成される一方、上記立設部の下部及び取付底部には連続する切欠開口部が形成されると共に、この切欠開口部に挿入される突出部を有する座金が上記取付底部に載置可能に設けられ、かつ、上記突出部には、立設部上に中心軸を有するボルトを通す座金ボルト孔が穿設されており、上記タイトフレームにおける頂部は、吊子を回転自在に載置すべく平坦に形成されていることを特徴としている。
【００２０】
上記の発明によれば、吊子は、立設部、取付底部及び馳締め部が一枚の平板を折曲して形成される。このため、取付具を簡単な構成にて形成することができるので、製造コストを低減することができる。
【００２１】
次に、タイトフレームにおける頂部は、吊子を回転自在に載置すべく平坦に形成されている。このため、吊子をタイトフレームの長手方向及びこれに直交する方向のいずれにも固定することができる。
【００２２】
この結果、タイトフレームの長手方向と吊子の長手方向とが一致する状態は、タイトフレームの長手方向と吊子の長手方向とが直交する状態に比べて、吊子がタイトフレームから張り出さないため、吊子が他の物品に引っ掛かりにくく、また吊子とタイトフレームとを連結したセットの複数をコンパクトに収納しやすい状態となる。従って、この状態にて吊子をタイトフレームに仮止めしておくことにより、吊子をタイトフレームに連結した状態での保管及び運搬が容易になる。
【００２３】
一方、タイトフレームにおける頂部は、吊子を回転自在に載置すべく平坦に形成されているので、上記の状態に連結したセットを梁上に持ち運んだ後、吊子をタイトフレームの長手方向に直交する方向に容易に回転して、タイトフレームに支持された折板屋根葺板を取り付けることができる。
【００２４】
ここで、本発明の吊子には、立設部の下部及び取付底部には連続する切欠開口部が形成される。また、この切欠開口部に挿入される突出部を有する座金が上記取付底部に載置可能に設けられ、かつ、上記突出部には、立設部上に中心軸を有するボルトを通す座金ボルト孔が穿設されている。
【００２５】
このため、吊子はボルトを中心として回転し得ると共に、このボルトの中心軸上に立設部が存在する。従って、吊子をタイトフレームの長手方向に平行となる方向から直交する方向へ回転させる際に、折板屋根の葺き方向に対するタイトフレームの取り付け方向を考慮する手間を省くことができる。このことは、タイトフレームの取り付け方向を誤り、付け直しを強いられるという従来の作業ミスが、全く発生しないことを意味する。この結果、折板屋根の組立て作業性を向上させることができる。
【００２６】
また、吊子がタイトフレームの長手方向に平行となる姿勢に保持されたタイトフレームを梁に固着した後で、折板屋根の葺き方向が風向き等の地理的条件に最も適合するように、吊子の向きを９０°正回転方向又は９０°逆回転方向に容易に変更することができる。
【００２７】
さらに、吊子は、タイトフレームにボルトにて取り付けられるので、強固に取り付けられる。また、このボルトの螺着作業は、地上にて行うことができるので、従来の高所による締結ボルトの螺着作業等に比べて、作業が安全かつ容易となり、ひいては、作業効率を良くして労力及び時間を削減し、折板屋根の施工を簡便とすることができる。
【００２８】
一方、馳締め部を有する吊子を１枚板にて形成する場合、その板厚を厚くすることができない。しかし、本発明では、吊子に座金が設けられているので、この座金の板厚を厚くすることにより十分に強度補強を図ることができる。
【００２９】
また、突出部を有する座金の存在により、ボルトを立設部の立設面上に配置する際に、座金の突出部を傾斜させることができる。このため、水平な取付底部にボルト孔を穿設しそのボルト孔に直接ボルトを通すのに比べて、ボルトを容易に立設部の立設面上に配置させることができる。
【００３０】
以上の結果、折板屋根の組み立て作業性を向上し得ると共に、吊子をタイトフレームに連結した状態での保管・運搬が容易であり、さらに、より強固な取り付け状態を長期にわたって安定的に維持し得る折板屋根葺板の取付具を提供することができる。
【００３１】
請求項２に係る発明の折板屋根葺板の取付具は、上記課題を解決するために、請求項１記載の折板屋根葺板の取付具において、上記吊子における取付底部の縁には、上記座金の縁を押さえるための爪部が形成されていることを特徴としている。
【００３２】
上記の発明によれば、吊子における取付底部の縁には、上記座金の縁を押さえるための爪部が形成されている。このため、座金の一方の側面は、立設部に規制される一方、座金の他方の側面は、この爪部にて規制される。
【００３３】
従って、座金が取付底部に固定されるので、高所作業においても、座金が落下することがない。この結果、高所作業が安全かつ容易となり、ひいては、作業効率を良くして労力及び時間を削減し、折板屋根の施工を簡便とすることができる。
【００３４】
請求項３に係る発明の折板屋根葺板の取付具は、上記課題を解決するために、請求項２記載の折板屋根葺板の取付具において、上記吊子における立設部の下部及び取付底部に連続して形成される切欠開口部は、上記座金を傾斜させることによってのみボルトを座金ボルト孔に挿入可能に穿設されていることを特徴としている。
【００３５】
上記の発明によれば、吊子における立設部の下部及び取付底部に連続して形成される切欠開口部は、上記座金を傾斜させることによってのみボルトを座金ボルト孔に挿入可能に穿設されている。この結果、ボルトは座金を傾斜させなければ、切欠開口部から外れないことになる。
【００３６】
一方、座金は、爪部にて縁が押さえられて座金が傾斜することはないので、ボルトを切欠開口部に挿入した後は、ボルトがこの切欠開口部から外れることがない。
【００３７】
この結果、高所作業においても、ボルトが落下することがない。従って、高所作業が安全かつ容易となり、ひいては、作業効率を良くして労力及び時間を削減し、折板屋根の施工を簡便とすることができる。
【００３８】
請求項４に係る発明の折板屋根葺板の取付具は、上記課題を解決するために、請求項１、２、又は３記載の折板屋根葺板の取付具において、上記タイトフレームには、裏面側に上記ボルトに螺合されるナットが予め接合されていることを特徴としている。
【００３９】
上記の発明によれば、タイトフレームには、裏面側に上記ボルトに螺合されるナットが予め接合されている。
【００４０】
このため、高所作業にて吊子をタイトフレームに固定する場合においても、誤ってナットを落下することがなくなる。
【００４１】
また、ボルトを上側から締めることができるので、螺合作業が容易となる。
【００４２】
この結果、高所作業が安全かつ容易となり、ひいては、作業効率を良くして労力及び時間を削減し、折板屋根の施工を簡便とすることができる。
【００４３】
請求項５に係る発明の折板屋根葺板の取付具は、上記課題を解決するために、請求項１記載の折板屋根葺板の取付具において、上記ボルトには、滑り止め剤が設けられていることを特徴としている。
【００４４】
上記の発明によれば、ボルトには、滑り止め剤が設けられている。
【００４５】
このため、ボルトをナットに十分に締結できなくても、ナットがボルトから容易に外れることはない。
【００４６】
この結果、ボルト締め作業の労力の低減及び時間の短縮を図ることができ、作業効率が良くなると共に、安全性・信頼性の確保を図ることができる。
【００４７】
請求項６に係る発明の折板屋根葺板の取付具は、上記課題を解決するために、請求項１〜５のいずれか１項に記載の折板屋根葺板の取付具において、上記吊子には、他の一枚の平板を折曲して形成される補強用立設部、補強用馳締め部及び補強用取付底部を備え、かつ補強用立設部の下部及び補強用取付底部には上記ボルトを通すための連続する切欠開口部が形成された補強用吊子が上記立設部と補強用立設部とを背面接合状態にして設けられることを特徴としている。
【００４８】
上記の発明によれば、吊子には、他の一枚の平板を折曲して形成される補強用立設部、補強用馳締め部及び補強用取付底部を備えた補強用吊子が上記立設部と補強用立設部とを背面接合状態にして設けられる。このため、一枚の平板を折曲して形成された吊子と、他の一枚の平板を折曲して形成される補強用吊子とが合体して使用されるので、強度が向上する。
【００４９】
また、この補強用吊子には、補強用立設部の下部及び補強用取付底部にボルトを通すための連続する切欠開口部が形成されているので、ボルトの中心軸が立設部及び補強用立設部の延長上にあり、前記立設部を中心していずれの方向にも回転可能という機能は確保される。
【００５０】
この結果、折板屋根の組み立て作業性を向上し得ると共に、吊子をタイトフレームに連結した状態で保管・運搬が容易であるという機能を満足しつつ、さらに、より強固な取り付け状態を長期にわたって安定的に維持し得るという機能をも確実に満足する折板屋根葺板の取付具を提供することができる。
【００５１】
従って、特に、風の強い地域や豪雪地帯等の折板屋根葺板の取付において、取付の信頼性を高めることができる。
【００５２】
【発明の実施の形態】
〔実施の形態１〕
本発明の実施の一形態について図１ないし図２３に基づいて説明すれば、以下の通りである。
【００５３】
本実施の形態の折板屋根は、図２に示すように、母屋の長手方向に延びる図示しない梁の上面にタイトフレーム１を溶接にて固定し、その後、タイトフレーム１上に折板屋根葺板（以下、「折板」と称する）２…を順次被着するものとなっている。
【００５４】
隣接する折板２・２は、側縁部が互いに突き合わされており、その間に吊子３が挟装されている。これら折板２・２は、側縁部がこの吊子３にて馳締めされることによって相互に連結されるようになっている。尚、タイトフレーム１と吊子３とによって本発明の取付具が構成される。
【００５５】
上記の折板２は、図３に示すように、水平底部２ｃと、この水平底部２ｃの両側から上方に向かって広がり方向に傾斜して延びる傾斜面２ａ・２ｂとを有する略Ｖ字断面形状に形成されている。また、同図において、右側の傾斜面２ａの上端部には、断面逆Ｖ字状の側縁部としての折り曲げ部５ａが設けられる一方、左側の傾斜面２ｂの上端部には、同形状の断面逆Ｖ字状の側縁部としての折り曲げ部５ｂが設けられている。
【００５６】
一方、タイトフレーム１は、図４に示すように、上記折板２の谷形断面に沿う山形に形成されている。上記タイトフレーム１における山形の頂部１ａ・１ａは、吊子３を回転自在に取り付けるために平坦になっている。さらに、上記の各頂部１ａ・１ａの中心位置には、吊子３をタイトフレーム１に取り付けるための後述するボルト３０を通すためのフレームボルト孔１ｂ・１ｂが穿設されている。
【００５７】
尚、本実施の形態では、タイトフレーム１には、同図に示すように、２つの頂部１ａ・１ａが形成されているが、必ずしもこれに限らず、頂部１ａは１つであっても良く、さらに３つ以上の頂部１ａ…とすることも可能である。
【００５８】
また、本実施の形態では、タイトフレーム１における頂部１ａのフレームボルト孔１ｂの裏面側には、図５に示すように、予めナット３５が溶接によって固定されている。但し、必ずしもこれに限ることはない。
【００５９】
次に、吊子３は、図６ないし図９に示すように、立設部１１と、この立設部１１の上端から延設される馳締め部１２と、上記タイトフレーム１への載置固定のために立設部１１の下端から水平に延設される取付底部１３とを有しており、これら立設部１１、馳締め部１２及び取付底部１３が一枚の例えば金属からなる平板を折曲して形成されている。
【００６０】
上記の馳締め部１２は、吊子３の長手方向に３分割されており、互いに逆向きとなるように折曲されている。即ち、長手方向の両端部に設けられた端部馳締め部１２ａ・１２ａが同一方向に折曲される一方、長手方向の中央部に設けられた中央馳締め部１２ｂがその逆方向に折曲されている。また、立設部１１に対するこれら端部馳締め部１２ａ・１２ａ及び中央馳締め部１２ｂの折曲角度は、図７に示すように、直角よりもやや鋭角になるように折曲されている。これによって、図示しない馳締め機で折り曲げ部５ａ・５ｂを馳締めする際に、容易に挟持して押圧することができる。
【００６１】
上記の取付底部１３は、立設部１１に対して略直角の水平に折曲される一方、取付底部１３の端縁部における長手方向の中央位置には、上方向に折曲される返し部１３ａが設けられ、さらに、返し部１３ａの端縁部中央位置に爪部１３ｂが形成されている。上記返し部１３ａの立ち上げ寸法は、後述する座金２０の厚みを少し越える程度となっている。
【００６２】
また、上記返し部１３ａは、長手方向において立設部１１と平行に形成される一方、取付底部１３の端縁部における返し部１３ａの両端側からはそれぞれテーパ１３ｄ・１３ｄが切られたものとなっている。
【００６３】
一方、立設部１１の下部と取付底部１３との間には、吊子３の長手方向の中央位置に、立設部１１の下部と取付底部１３との間で連続する切欠開口部１１ａ・１３ｃが形成されている。これら切欠開口部１１ａ・１３ｃは立設部１１及び取付底部１３がそれぞれ略半楕円形状又は略菱形状の形状に連続して切り欠かれたものとなっている。また、その長軸方向の長さは、後述する座金２０における突出部２１の外径よりも少し大きいものとなっており、突出部２１が切欠開口部１１ａ・１３ｃに容易に挿入し得ると共に、挿入したときにこの突出部２１が切欠開口部１１ａ・１３ｃ内で長手方向に大きく移動しない寸法となっている。
【００６４】
上記立設部１１の下部に形成された切欠開口部１１ａの短軸方向の長さは、後述するボルト３０のボルト頭３１の半径よりも少し長いものとなっていると共に、取付底部１３に形成された切欠開口部１３ｃも略同じ短軸方向の長さを有している。
【００６５】
即ち、この切欠開口部１１ａ・１３ｃは、ボルト頭３１に対して余り大きくないようになっており、これによって、後述する座金ボルト孔２２にボルト３０を通したときに、ボルト３０が切欠開口部１１ａ・１３ｃから容易に外れないようになっている。
【００６６】
一方、吊子３における取付底部１３には、図１及び図２に示すように、座金２０が載置されるようになっている。この座金２０は、図１０（ａ）（ｂ）に示すように、略長方形の金属板からなっており、一側端における中央には、半円形に突出する突出部２１が形成されている。この座金２０は、吊子３の板厚みよりも少し厚めに形成されている。
【００６７】
上記突出部２１には、円形の座金ボルト孔２２が形成されており、後述するボルト３０を自在に通し得るようになっている。上記座金ボルト孔２２の中心は、取付底部１３の側縁部の延長線上に位置するものとなっている一方、後述するように、座金２０の突出部２１側の側縁２０ａ・２０ａは立設部１１に当接される。この結果、ボルト３０の中心軸が立設部１１の立設面上に位置するようになっている。
【００６８】
また、座金２０には、長手方向に沿って、上向きに凸となるリブ用凸部２４が一条に形成されおり、リブとして補強機能を果たすものとなっている。
【００６９】
一方、ボルト３０は、図１１（ａ）（ｂ）に示すように、丸根平頭形状のボルト頭３１を有するボルトからなっている。このボルト頭３１は、座金２０への押圧領域を少しでも広範囲とすべく面積の大きなものとなっていると共に、ボルト頭３１には、容易に回転操作ができるように、比較的大きいドライバー用の十字穴３２が形成されている。
【００７０】
また、このボルト３０のネジ部３３には、滑り止め剤としての接着剤３４が塗布されている。この接着剤３４は、例えば、エポキシ樹脂を微細なマイクロカプセルに封入したものからなり、前記ナット３５にボルト３０を螺合することにより、このマイクロカプセルが破壊されて、エポキシ樹脂が流出し、ボルト３０とナット３５との接着が行われるようになっている。従って、ボルト３０をナット３５に螺合して放置すると、ボルト３０はナット３５から外れなくなる仕組みとなっている。尚、この接着剤３４のネジ部３３への塗布は、先端部には行わないようにしておくことが好ましい。これは、吊子３をタイトフレーム１に取り付けて保存及び運搬するために、吊子３をタイトフレーム１へ仮止めすることがあるためであり、その仮止めの際に、先端部分にのみボルト３０をナット３５に螺合させるためである。
【００７１】
上記構成の吊子３を用いた折板屋根の組み立て作業手順について説明する。
【００７２】
先ず、吊子３に座金２０とボルト３０を取り付けて一体化する。この作業は、図１２に示すように、座金２０の突出部２１を切欠開口部１１ａ・１３ｃに挿入し、座金２０を、リブ用凸部２４が立設部１１に当接するように傾斜して立てる。次いで、ボルト３０を座金ボルト孔２２に斜めから挿入した後、図１３に示すように、上記の傾斜状態にあった座金２０を回転させて取付底部１３に載置する。
【００７３】
次いで、図１４〜図２０に示すように、爪部１３ｂを略直角に折り返すことにより、座金２０が吊子３に固定される。これにより、これら座金２０及びボルト３０を一体化した吊子３を転倒させたとしても、ボルト３０が切欠開口部１１ａ・１３ｃから落下することはない。
【００７４】
即ち、本実施の形態の切欠開口部１１ａ・１３ｃの大きさは、ボルト頭３１の大きさを考慮して切り欠かれており、座金２０を取付底部１３に平行に載置した状態では、吊子３を例えば転倒させてボルト３０が切欠開口部１１ａ・１３ｃ内で移動したとしても、このボルト３０は落下しない。逆に、このような構成にしたために、ボルト３０を切欠開口部１１ａ・１３ｃに挿入するときには、上述したように、座金２０を傾斜させる必要があるが、座金２０を傾斜さえすれば、ボルト３０は座金ボルト孔２２及び切欠開口部１１ａ・１３ｃに容易に挿入し得るものとなっている。
【００７５】
次に、この一体化した吊子３をタイトフレーム１に取り付ける。
【００７６】
吊子３をタイトフレーム１に取り付けるときには、図２１に示すように、吊子３の長手方向をタイトフレーム１の長手方向に平行となるように取り付ける。尚、このときには、ボルト３０に塗布した接着剤３４が前記ナット３５に係合しないように、ボルト３０のネジ部３３における先端のみ螺合させるのが好ましい（図１１（ｂ）参照）。
【００７７】
この状態で、タイトフレーム１に取り付けた吊子３を保管及び搬送することにより、吊子３をタイトフレーム１に直交する方向に取り付けるのに比較して、密状態に保管することができ、搬送も行い易くなる。
【００７８】
次に、この吊子３を取り付けたタイトフレーム１を母屋の図示しない梁の上面に沿って、溶接又はボルト締めにて固定する。梁の全長にわたってタイトフレーム１の固定取り付けを終了すると、図１に示すように、吊子３を９０°回転させて吊子３の長手方向とタイトフレーム１の長手方向とを直交させた後、ボルト３０をナット３５に本締めする。本締めに際しては、斜め上から図示しないプラスドライバーをボルト頭３１の十字穴３２に押圧しながら回転させる。これにより、プラスドライバーが立設部１１における切欠開口部１１ａの上端に係合したとしても、この十字穴３２は少し大きめに形成されているので、容易にボルト３０をナット３５に螺合させることができる。
【００７９】
また、本実施の形態では、ボルト３０に接着剤３４が塗布されているので、多少締め方が緩くても、接着剤３４の硬化後は、ボルト３０がナット３５から外れることがない。
【００８０】
続いて、折板２・２をタイトフレーム１上に載置し、図２２に示すように、折板２・２の折り曲げ部５ａ・５ｂが吊子３の馳締め部１２の下側になるようにして、吊子３を挟持する。次いで、図示しない馳締め機にて馳締め部１２を押圧して折曲することにより、図２に示すように、折板２・２の折り曲げ部５ａ・５ｂが吊子３の馳締め部１２にて馳締めされる。尚、折板２・２の接合部において、吊子３の存在しない部分には、両者の結合強度補強のために図示しない逆Ｖ字状のクリップが取り付けられる。
【００８１】
次いで、同図及び図５に示すように、キャップ６を上方から押し込むように嵌合させることにより、確実に折板２が取り付けられる。また、このキャップ６の存在により、折板２・２の接合部からの雨漏りを防止することができる。
【００８２】
このように、本実施の形態の折板２の取付具は、立設部１１、取付底部１３及び馳締め部１２が一枚の平板を折曲して形成される。このため、簡単な構成にて取付具を形成することができるので、製造コストを低減することができる。
【００８３】
次に、タイトフレーム１における頂部１ａは、吊子３を回転自在に載置固定すべく平坦に形成されている。このため、吊子３をタイトフレーム１の長手方向及びこれに直交する方向のいずれにも固定することができる。
【００８４】
従って、タイトフレーム１の長手方向と吊子３の長手方向とが一致する状態は、タイトフレーム１の長手方向と吊子３の長手方向とが直交する状態に比べて、吊子３がタイトフレーム１から張り出さないため、吊子３が他の物品に引っ掛かりにくく、また、吊子３とタイトフレーム１とを連結したセットの複数をコンパクトに収納しやすい状態となる。この結果、この状態にて吊子３をタイトフレーム１に仮止めしておくことにより、吊子３をタイトフレーム１に連結した状態での保管及び運搬が容易になる。
【００８５】
一方、タイトフレーム１における頂部１ａは、吊子３を回転自在に載置すべく平坦に形成されているので、上記の状態に連結したセットを梁上に持ち運んだ後、吊子３をタイトフレーム１の長手方向に直交する方向に容易に回転して、タイトフレーム１に支持された折板２を取り付けることができる。
【００８６】
ここで、本実施の形態の吊子３では、立設部１１の下部及び取付底部１３に、連続する切欠開口部１１ａ・１３ｃが形成される。また、この切欠開口部１１ａ・１３ｃに挿入される突出部２１を有する座金２０が取付底部１３に載置可能に設けられ、かつ、突出部２１には、立設部１１上に中心軸を有するボルト３０を通す座金ボルト孔２２が穿設されている。
【００８７】
このため、吊子３はボルト３０を中心として回転し得ると共に、このボルト３０の中心軸上に立設部１１が存在する。従って、吊子３をタイトフレーム１の長手方向に平行となる方向から直交する方向へ回転させる際に、折板屋根の葺き方向に対するタイトフレーム１の取り付け方向を考慮する手間を省くことができる。
【００８８】
このことは、タイトフレーム１の取り付け方向を誤り、付け直しを強いられるという従来の作業ミスが、全く発生しないことを意味する。この結果、折板屋根の組立て作業性を向上させることができる。
【００８９】
また、吊子３がタイトフレーム１の長手方向に平行となる姿勢に保持されたタイトフレーム１を梁に固着した後で、折板屋根の葺き方向が風向き等の地理的条件に最も適合するように、吊子３の向きを９０°正回転方向又は９０°逆回転方向に容易に変更することができる。
【００９０】
さらに、吊子３は、タイトフレーム１にボルト３０にて取り付けられるので、強固に取り付けられる。また、このボルト３０のナット３５への螺着作業は、地上にて行うことができるので、従来の高所によるボルト３０の螺着作業等に比べて、作業が安全かつ容易となり、ひいては、作業効率を良くして労力及び時間を削減し、折板屋根の施工を簡便とすることができる。
【００９１】
一方、馳締め部１２を有する吊子３を１枚板にて形成する場合、その板厚を厚くすることができない。即ち、馳締め部１２にて折り曲げ部５ａ・５ｂを馳締めする必要があるので、板厚を厚くすると馳締め作業が困難になるためである。しかし、本実施の形態では、吊子３には座金２０が設けられているので、この座金２０の板厚を厚くすることにより、十分に強度補強を図ることができる。
【００９２】
また、突出部２１を有する座金２０の存在により、ボルト３０を立設部１１の立設面上に配置する際に、座金２０の突出部２１を傾斜させることができる。このため、水平な取付底部１３にボルト孔を穿設しそのボルト孔に直接ボルト３０を通すのに比べて、ボルト３０を容易に立設部１１の立設面上に配置させることができる。
【００９３】
これらにより、折板屋根の組み立て作業性を向上し得ると共に、吊子３をタイトフレーム１に連結した状態での保管・運搬が容易であり、さらに、より強固な取り付け状態を長期にわたって安定的に維持し得る折板２の取付具を提供することができる。
【００９４】
また、本実施の形態の折板屋根葺板の取付具は、吊子３における取付底部１３の縁には、座金２０の縁を押さえるための爪部１３ｂが形成されている。
【００９５】
このため、座金２０の一方の側縁２０ａ・２０ａは、立設部１１に規制される一方、座金２０の他方の側面は、この爪部１３ｂにて規制される。
【００９６】
従って、座金２０が取付底部１３に固定されるので、高所作業においても、座金２０が落下することがない。この結果、高所作業が安全かつ容易となり、ひいては、作業効率を良くして労力及び時間を削減し、折板屋根の施工を簡便とすることができる。
【００９７】
また、本実施の形態の折板２の取付具では、吊子３における立設部１１の下部及び取付底部１３に連続して形成される切欠開口部１１ａ・１３ｃは、座金２０を傾斜させることによってのみボルト３０を座金ボルト孔２２に挿入可能に穿設されている。この結果、ボルト３０は座金２０を傾斜させなければ、切欠開口部１１ａ・１３ｃから外れないことになる。
【００９８】
一方、座金２０は、爪部１３ｂにて縁が押さえられて傾斜することがないので、ボルト３０を切欠開口部１１ａ・１３ｃに挿入した後は、ボルト３０がこの切欠開口部１１ａ・１３ｃから外れることがない。
【００９９】
この結果、高所作業においても、ボルト３０が落下することがない。従って、高所作業が安全かつ容易となり、ひいては、作業効率を良くして労力及び時間を削減し、折板屋根の施工を簡便とすることができる。
【０１００】
また、本実施の形態の折板２の取付具では、タイトフレーム１には、裏面側に上記ボルト３０に螺合されるナット３５が予め溶接等により接合されている。
【０１０１】
このため、高所作業にて吊子３をタイトフレーム１に固定する場合においても、誤ってナット３５を落下することがなくなる。
【０１０２】
また、ボルト３０を上側から締めることができるので、螺合作業が容易となる。
【０１０３】
この結果、高所作業が安全かつ容易となり、ひいては、作業効率を良くして労力及び時間を削減し、折板屋根の施工を簡便とすることができる。
【０１０４】
また、本実施の形態の折板２の取付具では、ボルト３０には接着剤３４が塗布されている。
【０１０５】
このため、ボルト３０をナット３５に十分に締結できなくても、ボルト３０がナット３５から容易には外れない。
【０１０６】
この結果、ボルト締め作業の労力の低減及び時間の短縮を図ることができ、作業効率が良くなると共に、安全性・信頼性の確保を図ることができる。
【０１０７】
尚、本発明は、上記の実施の形態に限定されるものではなく、本発明の範囲内で種々の変更が可能である。例えば、上記実施の形態では、馳締め部１２は平坦な水平板となっているが、特にこれに限定するものではなく、例えば、馳締め部としてＬ状板又はＣ状板等の形状にすることが可能である。
【０１０８】
また、本実施の形態では、タイトフレーム１の頂部１ａは、その全面が水平な平坦面となっているが、必ずしもこれに限らない。即ち、本発明においては、タイトフレーム１の頂部１ａは、吊子３を回転自在に載置すべく平坦に形成されていれば足りる。このため、例えば、吊子３が回転自在となる領域があれば、それ以外は凹凸が存在しても良い。
【０１０９】
従って、例えば、図２３に示すような端部を有する折板４２・４２及びタイトフレーム４１に適用される馳締め部４３を備えた吊子４４とすることも可能である。尚、この吊子４４の長手方向長さと同図の左右幅とは同程度とする。これによって、馳締め部１２・４３の形状を問わないので、種々の折板屋根葺板の取付に対応することができる。
【０１１０】
〔実施の形態２〕
本発明の他の実施の形態について図２４に基づいて説明すれば、以下の通りである。尚、説明の便宜上、前記の実施の形態１の図面に示した部材と同一の機能を有する部材については、同一の符号を付し、その説明を省略する。
【０１１１】
本実施の形態の折板屋根葺板の取付具は、前記実施の形態１の吊子３に比べて、強度的に改良したものからなっている。
【０１１２】
即ち、図２４に示すように、吊子３には、さらに、他の一枚の平板を折曲して形成される補強用立設部５１、補強用馳締め部５２及び補強用取付底部５３を備えた補強用吊子５０が背面に接合されている。
【０１１３】
このため、一枚の平板を折曲して形成された吊子３と、他の一枚の平板を折曲して形成される補強用吊子５０とが合体して使用されるので、強度が向上する。
【０１１４】
また、この補強用吊子５０には、補強用立設部５１の下部及び補強用取付底部５３にボルト３０を通すための連続する切欠開口部としての補強用切欠開口部５１ａ・５３ａが形成されている。このため、ボルト３０の中心軸が立設部１１及び補強用立設部５１の延長上にあり、立設部１１及び補強用立設部５１を中心していずれの方向にも回転可能という機能は確保される。
【０１１５】
この結果、折板屋根の組み立て作業性を向上し、かつ吊子３をタイトフレーム１に連結した状態で保管・運搬が容易であるという機能を満足しつつ、さらに、より強固な取り付け状態を長期にわたって安定的に維持し得るという機能をも確実に満足する折板２の取付具を提供することができる。
【０１１６】
即ち、この構成は、特に、風の強い地域や豪雪地帯等の折板２の取付において、取付の信頼性を高めることができる。
【０１１７】
【発明の効果】
請求項１に係る発明の折板屋根葺板の取付具は、以上のように、吊子は、上記立設部、取付底部及び馳締め部が一枚の平板を折曲して形成される一方、上記立設部の下部及び取付底部には連続する切欠開口部が形成されると共に、この切欠開口部に挿入される突出部を有する座金が上記取付底部に載置可能に設けられ、かつ、上記突出部には、立設部上に中心軸を有するボルトを通す座金ボルト孔が穿設されており、上記タイトフレームにおける頂部は、吊子を回転自在に載置すべく平坦に形成されているものである。
【０１１８】
それゆえ、吊子は、立設部、取付底部及び馳締め部が一枚の平板を折曲して形成される。このため、取付具を簡単な構成にて形成することができるので、製造コストを低減することができる。
【０１１９】
次に、タイトフレームにおける頂部は、吊子を回転自在に載置すべく平坦に形成されている。このため、吊子をタイトフレームの長手方向及びこれに直交する方向のいずれにも固定することができる。従って、タイトフレームの長手方向と吊子の長手方向とが一致する状態にて吊子をタイトフレームに仮止めしておくことにより、吊子をタイトフレームに連結した状態での保管及び運搬が容易になる。
【０１２０】
一方、タイトフレームにおける頂部は、吊子を回転自在に載置すべく平坦に形成されているので、上記の状態に連結したセットを梁上に持ち運んだ後、吊子をタイトフレームの長手方向に直交する方向に容易に回転して、タイトフレームに支持された折板屋根葺板を取り付けることができる。
【０１２１】
また、吊子には、立設部の下部及び取付底部には連続する切欠開口部が形成される。さらに、この切欠開口部に挿入される突出部を有する座金が上記取付底部に載置可能に設けられ、かつ、上記突出部には、立設部上に中心軸を有するボルトを通す座金ボルト孔が穿設されている。
【０１２２】
このため、吊子はボルトを中心として回転し得ると共に、このボルトの中心軸上に立設部が存在する。従って、吊子をタイトフレームの長手方向に平行となる方向から直交する方向へ回転させる際に、折板屋根の葺き方向に対するタイトフレームの取り付け方向を考慮する手間を省くことができる。このことは、タイトフレームの取り付け方向を誤り、付け直しを強いられるという従来の作業ミスが、全く発生しないことを意味する。この結果、折板屋根の組立て作業性を向上させることができる。
【０１２３】
また、吊子がタイトフレームの長手方向に平行となる姿勢に保持されたタイトフレームを梁に固着した後で、折板屋根の葺き方向が風向き等の地理的条件に最も適合するように、吊子の向きを９０°正回転方向又は９０°逆回転方向に容易に変更することができる。
【０１２４】
さらに、吊子は、タイトフレームにボルトにて取り付けられるので、強固に取り付けられる。また、このボルトの螺着作業は、地上にて行うことができるので、従来の高所による締結ボルトの螺着作業等に比べて、作業が安全かつ容易となり、ひいては、作業効率を良くして労力及び時間を削減し、折板屋根の施工を簡便とすることができる。
【０１２５】
また、吊子には座金が設けられているので、この座金の板厚を厚くすることにより十分に強度補強を図ることができる。
【０１２６】
さらに、突出部を有する座金が設けられているので、座金の突出部を傾斜させることができる。このため、水平な取付底部にボルト孔を穿設しそのボルト孔に直接ボルトを通すのに比べて、ボルトを容易に立設部の立設面上に配置させることができる。
【０１２７】
以上の結果、折板屋根の組み立て作業性を向上し得ると共に、吊子をタイトフレームに連結した状態での保管・運搬が容易であり、さらに、より強固な取り付け状態を長期にわたって安定的に維持し得る折板屋根葺板の取付具を提供することができるという効果を奏する。
【０１２８】
請求項２に係る発明の折板屋根葺板の取付具は、以上のように、請求項１記載の折板屋根葺板の取付具において、上記吊子における取付底部の縁には、上記座金の縁を押さえるための爪部が形成されているものである。
【０１２９】
それゆえ、座金の一方の側面は、立設部に規制される一方、座金の他方の側面は、この爪部にて規制される。
【０１３０】
従って、座金が取付底部に固定されるので、高所作業においても、座金が落下することがない。この結果、高所作業が安全かつ容易となり、ひいては、作業効率を良くして労力及び時間を削減し、折板屋根の施工を簡便とすることができるという効果を奏する。
【０１３１】
請求項３に係る発明の折板屋根葺板の取付具は、以上のように、請求項２記載の折板屋根葺板の取付具において、上記吊子における立設部の下部及び取付底部に連続して形成される切欠開口部は、上記座金を傾斜させることによってのみボルトを座金ボルト孔に挿入可能に穿設されているものである。
【０１３２】
それゆえ、ボルトは座金を傾斜させなければ、切欠開口部から外れないことになる。一方、座金は、爪部にて縁が押さえられて座金が傾斜することはないので、ボルトを切欠開口部に挿入した後は、ボルトがこの切欠開口部から外れることがない。
【０１３３】
この結果、高所作業においても、ボルトが落下することがない。従って、高所作業が安全かつ容易となり、ひいては、作業効率を良くして労力及び時間を削減し、折板屋根の施工を簡便とすることができるという効果を奏する。
【０１３４】
請求項４に係る発明の折板屋根葺板の取付具は、以上のように、請求項１、２、又は３記載の折板屋根葺板の取付具において、上記タイトフレームには、裏面側に上記ボルトに螺合されるナットが予め接合されているものである。
【０１３５】
それゆえ、高所作業にて吊子をタイトフレームに固定する場合においても、誤ってナットを落下することがなくなる。
【０１３６】
また、ボルトを上側から締めることができるので、螺合作業が容易となる。
【０１３７】
この結果、高所作業が安全かつ容易となり、ひいては、作業効率を良くして労力及び時間を削減し、折板屋根の施工を簡便とすることができるという効果を奏する。
【０１３８】
請求項５に係る発明の折板屋根葺板の取付具は、以上のように、請求項１記載の折板屋根葺板の取付具において、上記ボルトには、滑り止め剤が設けられているものである。
【０１３９】
それゆえ、ボルトをナットに十分に締結できなくても、ナットがボルトから容易に外れることはない。
【０１４０】
この結果、ボルト締め作業の労力の低減及び時間の短縮を図ることができ、作業効率が良くなると共に、安全性・信頼性の確保を図ることができるという効果を奏する。
【０１４１】
請求項６に係る発明の折板屋根葺板の取付具は、以上のように、請求項１〜５のいずれか１項に記載の折板屋根葺板の取付具において、上記吊子には、他の一枚の平板を折曲して形成される補強用立設部、補強用馳締め部及び補強用取付底部を備え、かつ補強用立設部の下部及び補強用取付底部には上記ボルトを通すための連続する切欠開口部が形成された補強用吊子が上記立設部と補強用立設部とを背面接合状態にして設けられるものである。
【０１４２】
それゆえ、一枚の平板を折曲して形成された吊子と、他の一枚の平板を折曲して形成される補強用吊子とが合体して使用されるので、強度が向上する。
【０１４３】
また、この補強用吊子には、補強用立設部の下部及び補強用取付底部にボルトを通すための連続する切欠開口部が形成されているので、ボルトの中心軸が立設部及び補強用立設部の延長上にあり、前記立設部を中心していずれの方向にも回転可能という機能は確保される。
【０１４４】
この結果、折板屋根の組み立て作業性を向上し得ると共に、吊子をタイトフレームに連結した状態で保管・運搬が容易であるという機能を満足しつつ、さらに、より強固な取り付け状態を長期にわたって安定的に維持し得るという機能をも確実に満足する折板屋根葺板の取付具を提供することができるという効果を奏する。
【０１４５】
従って、特に、風の強い地域や豪雪地帯等の折板屋根葺板の取付において、取付の信頼性を高めることができるという効果を奏する。
【図面の簡単な説明】
【図１】本発明における折板屋根葺板の取付具の実施の一形態を示すものであり、一体化した吊子をタイトフレームに取り付けた状態を示す斜視図である。
【図２】上記取付具にて折板屋根葺板を取り付けた状態の全体構成を示す正面図である。
【図３】上記折板屋根葺板の構造を示す正面図である。
【図４】上記取付具におけるタイトフレームを示す斜視図である。
【図５】上記取付具にて折板屋根葺板を取り付ける状態の全体構成を示す分解正面図である。
【図６】上記取付具における吊子を示す斜視図である。
【図７】上記取付具における吊子を示す正面図である。
【図８】上記取付具における吊子を示す平面図である。
【図９】上記取付具における吊子を示す右側面図である。
【図１０】上記取付具における座金を示すものであり、（ａ）は平面図、（ｂ）は断面図である。
【図１１】上記取付具におけるボルトを示すものであり、（ａ）は平面図、（ｂ）は正面図である。
【図１２】上記吊子の座金にボルトを挿入する状態を示す正面図である。
【図１３】上記吊子の座金にボルトを挿入した状態を示す正面図である。
【図１４】上記吊子の座金にボルトを挿入し、爪部を折曲した状態を示す正面図である。
【図１５】上記吊子の座金にボルトを挿入し、爪部を折曲した状態を示す断面図である。
【図１６】上記吊子の座金にボルトを挿入し、爪部を折曲した状態を示す背面図である。
【図１７】上記吊子の座金にボルトを挿入し、爪部を折曲した状態を示す右側面図である。
【図１８】上記吊子の座金にボルトを挿入し、爪部を折曲した状態を示す左側面図である。
【図１９】上記吊子の座金にボルトを挿入し、爪部を折曲した状態を示す平面図である。
【図２０】上記吊子の座金にボルトを挿入し、爪部を折曲した状態を示す底面図である。
【図２１】上記吊子の座金にボルトを挿入し、爪部を折曲したものをタイトフレームに仮止めした状態を示す平面図である。
【図２２】上記一体化した吊子によって折板を取り付ける状態を示す斜視図である。
【図２３】吊子の変形例を示す正面図である。
【図２４】本発明における折板屋根葺板の取付具の他の実施の形態を示す正面図である。
【図２５】従来の折板屋根葺板の取付具を示す斜視図である。
【図２６】上記折板屋根葺板の取付具としてのタイトフレーム及び吊子の結合状態を示す分解斜視図である。
【図２７】上記折板屋根葺板の取付具としてのタイトフレーム及び吊子の結合状態を示す断面図である。
【図２８】従来の他の折板屋根葺板の取付具を示す分解斜視図である。
【図２９】上記取付具の正面図である。
【符号の説明】
１    タイトフレーム（取付具）
１ａ  頂部
２    折板（折板屋根葺板）
３    吊子（取付具）
５ａ  折り曲げ部（側縁部）
５ｂ  折り曲げ部（側縁部）
１１    立設部
１１ａ  切欠開口部
１２    馳締め部
１３    取付底部
１３ａ  切欠開口部
１３ｂ  爪部
２０    座金
２１    突出部
２２    座金ボルト孔
３０    ボルト
３４    接着剤（滑り止め剤）
３５    ナット
５０    補強用吊子
５１    補強用立設部
５２    補強用馳締め部
５１ａ  補強用切欠開口部（切欠開口部）
５３    補強用取付底部
５３ａ  補強用切欠開口部（切欠開口部）
【図１】
0003856556.tif 000002
【図２】
0003856556.tif 000003
【図３】
0003856556.tif 000004
【図４】
0003856556.tif 000005
【図５】
0003856556.tif 000006
【図６】
0003856556.tif 000007
【図７】
0003856556.tif 000008
【図８】
0003856556.tif 000009
【図９】
0003856556.tif 000010
【図１０】
0003856556.tif 000011
【図１１】
0003856556.tif 000012
【図１２】
0003856556.tif 000013
【図１３】
0003856556.tif 000014
【図１４】
0003856556.tif 000015
【図１５】
0003856556.tif 000016
【図１６】
0003856556.tif 000017
【図１７】
0003856556.tif 000018
【図１８】
0003856556.tif 000019
【図１９】
0003856556.tif 000020
【図２０】
0003856556.tif 000021
【図２１】
0003856556.tif 000022
【図２２】
0003856556.tif 000023
【図２３】
0003856556.tif 000024
【図２４】
0003856556.tif 000025
【図２５】
0003856556.tif 000026
【図２６】
0003856556.tif 000027
【図２７】
0003856556.tif 000028
【図２８】
0003856556.tif 000029
【図２９】
0003856556.tif 000030